(57)【要約】【課題】傾斜磁場を発生させるためのコントロール信号のクロック周波数の高調波ノイズがＭＲ信号の受信帯域に重畳するのを防止すること。【解決手段】傾斜磁場及び高周波磁場の発生を制御する各コントロール信号Ｓａ、Ｓｂのクロック周波数をＭＲ信号ｍの受信帯域Ｒｂの周波数帯域よりも高く設定、例えばＭＲ信号ｍの受信帯域Ｒｂの４００ｋＨｚよりも高い５００ｋＨｚに設定する。【選択図】      図１
2008099823.tif 000002
【特許請求の範囲】
【請求項１】
静磁場を発生すると共に傾斜磁場を発生して前記静磁場に重畳し、前記静磁場中の被検体に対して高周波磁場を照射すると共に、前記高周波磁場の照射により前記被検体に生じた磁気共鳴信号を受信し、前記磁気共鳴信号を処理して磁気共鳴画像を取得する磁気共鳴イメージング装置において、
前記傾斜磁場及び前記高周波磁場の発生を制御するコントロール信号のクロック周波数を前記磁気共鳴信号の受信帯域の周波数帯域よりも高く設定するパルスシーケンス手段、
を具備することを特徴とする磁気共鳴イメージング装置。
【請求項２】
前記パルスシーケンス手段は、前記コントロール信号の前記クロック周波数を５００ｋＨｚ〜１０００ｋＨｚの設定することを特徴とする請求項１記載の磁気共鳴イメージング装置。
【請求項３】
前記パルスシーケンス手段は、前記コントロール信号の前記クロック周波数を５００ｋＨｚに設定することを特徴とする請求項１記載の磁気共鳴イメージング装置。
【請求項４】
前記パルスシーケンス手段は、前記クロック周波数の整数分の１の周波数で前記磁気共鳴信号を受信することを特徴とする請求項１記載の磁気共鳴イメージング装置。
【請求項５】
前記パルスシーケンス手段は、前記クロック周波数が５００ｋＨｚ〜１０００ｋＨｚに設定された前記コントロール信号を送出する送信部と、
前記受信帯域が４００ｋＨｚに設定され、前記被検体に生じた前記磁気共鳴信号を受信する受信部と、
を有することを特徴とする請求項１記載の磁気共鳴イメージング装置。
【請求項６】
前記送信部は、前記クロック周波数が５００ｋＨｚに設定された前記コントロール信号を送出し、
前記受信部は、周波数２５０ｋＨｚで前記磁気共鳴信号を受信する、
ことを特徴とする請求項５記載の磁気共鳴イメージング装置。
【請求項７】
前記パルスシーケンス手段は、前記高周波磁場及び前記傾斜磁場を発生させるシーケンスとして少なくともエコープラナ法の画像化手法によって前記被検体の前記磁気共鳴画像を取得することを特徴とする請求項１記載の磁気共鳴イメージング装置。
【請求項８】
静磁場を発生すると共に傾斜磁場を発生して前記静磁場に重畳し、前記静磁場中の被検体に対して高周波磁場を照射すると共に、前記高周波磁場の照射により前記被検体に生じた磁気共鳴信号を受信し、前記磁気共鳴信号を処理して磁気共鳴画像を取得する磁気共鳴イメージング装置のパルスシーケンス方法において、
前記傾斜磁場及び前記高周波磁場の発生を制御するコントロール信号のクロック周波数を前記磁気共鳴信号の受信帯域の周波数帯域よりも高く設定して前記磁気共鳴画像を取得することを特徴とする磁気共鳴イメージング装置のパルスシーケンス方法。
【請求項９】
前記コントロール信号の前記クロック周波数を５００ｋＨｚ〜１０００ｋＨｚの設定することを特徴とする請求項８記載の磁気共鳴イメージング装置のパルスシーケンス方法。
【請求項１０】
前記コントロール信号の前記クロック周波数を５００ｋＨｚに設定することを特徴とする請求項８記載の磁気共鳴イメージング装置のパルスシーケンス方法。
【請求項１１】
前記コントロール信号の前記クロック周波数を５００ｋＨｚに設定し、周波数２５０ｋＨｚで前記磁気共鳴信号を受信することを特徴とする請求項８記載の磁気共鳴イメージング装置のパルスシーケンス方法。
【発明の詳細な説明】
【技術分野】
【０００１】
本発明は、静磁場を発生すると共に、傾斜磁場及び高周波磁場の発生を制御して磁気共鳴画像を取得するパルスシーケンスを改善した磁気共鳴イメージング装置及びそのパルスシーケンス方法に関する。
【背景技術】
【０００２】
磁気共鳴イメージング装置（以下、ＭＲＩと称する）は、超電導マグネットと、傾斜磁場コイルと、高周波コイル（以下、ＲＦコイルと称する）とを備え、超電導マグネットにより静磁場を発生し、この静磁場に対して傾斜磁場コイルにより発生した傾斜磁場を重畳し、静磁場中の被検体に対してＲＦコイルにより発生したＲＦ磁場を照射し、このＲＦ磁場の照射により被検体に生じたＭＲ信号をＲＦコイルにより受信し、このＭＲ信号を処理してＭＲ画像を取得する。
【０００３】
通常、ＭＲＩで使用しているクロックの周波数は、整数のＭＨｚオーダ、例えば３２ＭＨｚ、８ＭＨｚである。静磁場強度１．５ＴのＭＲＩは、図４に示すようにＭＲ信号を受信する受信帯域Ｒａが約６３．８６ＭＨｚ±２００ｋＨｚ程度である。クロック周波数３２ＭＨｚ、８ＭＨｚを使用するＭＲＩでは、これらクロック周波数のそれぞれ２倍（３２ＭＨｚ×２）、８倍（８ＭＨｚ×８）等の高周波ノイズが６４．００ＭＨｚに現れる。
【０００４】
一方、傾斜磁場コイルからの傾斜磁場の発生とＲＦコイルからのＭＲ信号の受信とは、同期して行われる。しかるに、一般的に、傾斜磁場コイルから傾斜磁場を発生させるためのクロックのコントロール信号ｓと、ＲＦコイルからのＭＲ信号を受信してデータインクリメントするためのコントロール信号ｉとは、それぞれ同期して図５に示すように２００ｋＨｚ〜２５０ｋＨｚの周波数範囲、例えば２５０ｋＨｚのクロック周波数で、繰り返し時間４ｕｓ毎に送信されている。このため、傾斜磁場を発生させるためのコントロール信号ｓの高調波のノイズが２５０ｋＨｚの間隔毎にＭＲ信号に重畳される。図４はＭＲ信号に例えば６３．５０ＭＨｚ、６３．７５ＭＨｚ、６４．００ＭＨｚ、６４．２５ＭＨｚにそれぞれ高調波ノイズが重畳されていることを示す。
【０００５】
一方、ＭＲ信号の受信帯域Ｒａは、例えば約２００ｋＨｚ程度に設定されている。ＭＲ信号の受信帯域Ｒａは、高調波ノイズが重畳する２５０ｋＨｚ間隔よりも狭いので、図４に示すようにＭＲ信号の受信帯域Ｒａを例えば矢印Ａ方向に移動させて微調整することにより、高調波ノイズとＭＲ信号の受信帯域Ｒａとが重ならないようにすることが可能である。
【０００６】
しかしながら、ＭＲＩは、図６に示すようにＭＲ画像取得の高速化によってＭＲ信号の受信帯域Ｒａが２００ｋＨｚの倍の例えば４００ｋＨｚの受信帯域Ｒｂに設定されている。このため、４００ｋＨｚとなったＭＲ信号の受信帯域Ｒｂは、高調波ノイズが重畳する２５０ｋＨｚ間隔よりも広くなり、ＭＲ信号の受信帯域Ｒｂを移動させて微調整してもＭＲ信号の受信帯域Ｒｂに高調波ノイズが入ってしまい、回避することが出来なくなっている。図６はＭＲ信号の受信帯域Ｒｂを微調整してもＭＲ信号の受信帯域Ｒｂ内に例えば６３．７５ＭＨｚ、６４．００ＭＨｚの高調波ノイズが必ず重畳されることを示す。
【０００７】
ＭＲＩは、使用周波数帯域のノイズに対して極めて敏感である。ＭＲＩでは、例えば傾斜磁場を発生させるためのコントロール信号等のクロック周波数の整数倍の高調波ノイズが入ってくると、この高調波ノイズがＦ１ノイズ又は白点アーチフェクトとなってＭＲＩ画像上に現れる。白点アーチフェクトがＭＲＩ画像上に現れると、医師等の診断に影響を及ぼす。高調波ノイズがＭＲ信号に重畳されないように例えばフィルタを用いて高調波ノイズを除去している。
【０００８】
傾斜磁場電源の発生するスイッチングノイズを除去する技術として例えば特許文献１がある。この特許文献１は、励起ＲＦ送受信手段と傾斜磁場発生手段との間に共通の動作基準同期クロック信号を用い、動作基準同期クロック信号を再構成画像帯域偏位させた同期クロック信号で傾斜磁場発生手段を動作させることを開示する。
【特許文献１】特開平１０−２４３９３４号公報
【発明の開示】
【発明が解決しようとする課題】
【０００９】
本発明の目的は、傾斜磁場を発生させるためのコントロール信号のクロック周波数の高調波ノイズがＭＲ信号の受信帯域に重畳するのを防止する磁気共鳴イメージング装置及びそのパルスシーケンス方法を提供することにある。
【課題を解決するための手段】
【００１０】
請求項１に記載の本発明は、静磁場を発生すると共に傾斜磁場を発生して静磁場に重畳し、静磁場中の被検体に対して高周波磁場を照射すると共に、高周波磁場の照射により被検体に生じた磁気共鳴信号を受信し、磁気共鳴信号を処理して磁気共鳴画像を取得する磁気共鳴イメージング装置において、傾斜磁場及び高周波磁場の発生を制御するコントロール信号のクロック周波数を磁気共鳴信号の受信帯域の周波数帯域よりも高く設定するパルスシーケンス手段を具備する。
【００１１】
請求項８に記載の本発明は、静磁場を発生すると共に傾斜磁場を発生して静磁場に重畳し、静磁場中の被検体に対して高周波磁場を照射すると共に、高周波磁場の照射により被検体に生じた磁気共鳴信号を受信し、磁気共鳴信号を処理して磁気共鳴画像を取得する磁気共鳴イメージング装置のパルスシーケンス方法において、傾斜磁場及び高周波磁場の発生を制御するコントロール信号のクロック周波数を磁気共鳴信号の受信帯域の周波数帯域よりも高く設定して磁気共鳴画像を取得する。
【発明の効果】
【００１２】
本発明によれば、傾斜磁場を発生させるためのコントロール信号のクロック周波数の高調波ノイズがＭＲ信号の受信帯域に重畳するのを防止する磁気共鳴イメージング装置及びそのパルスシーケンス方法を提供できる。
【発明を実施するための最良の形態】
【００１３】
以下、本発明の一実施の形態について図面を参照して説明する。  
図１はＭＲＩの構成図を示す。寝台１上には、患者等の被検体１が載置されている。この寝台１は、矢印Ｂ方向に移動可能に設けられている。  
超電導シールド本体３は、空洞を設けた構造を有する。超電導シールド本体３の空洞内には、寝台１が移動可能である。超電導シールド本体３には、超電導マグネット４と、傾斜磁場コイル５と、ＲＦコイル６とが設けられている。超電導マグネット４には、静止磁場電源７が接続されている。この静止磁場電源７は、超電導マグネット４に静止磁場発生用の超電導電流を供給し、超電導マグネット４から例えば強度１．５Ｔの静磁場を発生させる。
【００１４】
傾斜磁場コイル５には、傾斜磁場電源８が接続されている。この傾斜磁場電源８は、傾斜磁場コイル５に傾斜磁場発生用のパルス電流を供給し、傾斜磁場コイル５から傾斜磁場を発生させる。この傾斜磁場は、超電導マグネット４により発生した静磁場に重畳する。この傾斜磁場は、空間の互いに直交する軸ｘ、ｙ、ｚの方向に対して傾きをもつもので、例えば軸ｚ方向に線形の傾きを持つ。
【００１５】
ＲＦコイル６は、静磁場に傾斜磁場が重畳された磁場中の被検体２に対してＲＦ磁場を照射し、かつこのＲＦ磁場の照射により被検体２に生じたＭＲ信号を受信し、そのＭＲ信号を出力する。
【００１６】
パルスシーケンス制御系９は、傾斜磁場コイル５により発生する傾斜磁場及びＲＦコイル６により発生するＲＦ磁場をそれぞれ制御する各コントロール信号Ｓａ、Ｓｂを発生するためのクロック信号Ｃａ、Ｃｂの各クロック周波数をＭＲ信号ｍの受信帯域の周波数帯域よりも高く設定する。
【００１７】
具体的にパルスシーケンス制御系９は、シーケンス制御回路１０を有し、このシーケンス制御回路１０にクロック発生回路１１が接続されている。シーケンス制御回路１０は、コンピュータにより成り、予め格納されたシーケンスプログラムを実行して傾斜磁場及びＲＦ磁場の各コントロール信号Ｓａ、Ｓｂを発生するためのクロック信号Ｃａ、Ｃｂの各クロック周波数をＭＲ信号ｍの受信帯域の周波数帯域よりも高く設定する。
【００１８】
クロック発生回路１１は、クロック周波数５００ｋＨｚ〜１０００ｋＨｚの範囲、例えばクロック周波数５００ｋＨｚのクロック信号Ｃａ、Ｃｂを発生する。このクロック発生回路１１には、傾斜磁場制御回路１２とＲＦ制御回路１３とが接続されている。  
傾斜磁場制御回路１２は、クロック発生回路１１により発生したクロック周波数５００ｋＨｚのクロック信号Ｃａを入力し、このクロック信号Ｃａに同期した周波数のコントロール信号Ｓａを傾斜磁場電源８に送出する。図２はコントロール信号Ｓａのクロック波形を示す。これにより、傾斜磁場電源８は、コントロール信号Ｓａに同期した傾斜磁場発生用のパルス電流を傾斜磁場コイル５に供給する。
【００１９】
ＲＦ制御回路１３は、クロック発生回路１１により発生したクロック周波数５００ｋＨｚのクロック信号Ｃｂを入力し、このクロック信号Ｃｂに同期した周波数のコントロール信号ＳｂをＲＦ発生回路１４に送出する。図２はコントロール信号Ｓｂのクロック波形を示す。  
ＲＦ発生回路１４は、ＲＦ制御回路１３から送出されたコントロール信号Ｓｂを入力し、このコントロール信号Ｓｂのクロック周波数５００ｋＨｚに同期してＲＦ電流をＲＦアンプ１５に供給する。このＲＦアンプ１５は、ＲＦ電流を増幅してＲＦコイル６に供給する。  
なお、ＲＦ制御回路１３と、ＲＦ発生回路１４と、ＲＦアンプ１５とは、パルスシーケンス制御系９の送信部を構成する。
【００２０】
ＲＦコイル６には、前置アンプ１６と、受信帯域変更回路１７と、Ａ／Ｄ変換器１８とを介して画像処理回路１９が接続されている。これら前置アンプ１６と受信帯域変更回路１７とＡ／Ｄ変換器１８とは、パルスシーケンス制御系９の受信部を構成する。前置アンプ１６は、ＲＦコイル６から出力されたＭＲ信号ｍを増幅出力する。
【００２１】
受信帯域変更回路１７は、ＭＲ画像取得の高速化に対応するために、前置アンプ１６により増幅出力されたＭＲ信号ｍを例えば４００ｋＨｚの幅を有する受信帯域Ｒｂに通してＡ／Ｄ変換器１８に送る。この受信帯域変更回路１７は、受信帯域Ｒｂを矢印Ａ方向に移動可能にする。  
Ａ／Ｄ変換器１８は、受信帯域変更回路１７を通ったＭＲ信号ｍをアナログ／デジタル変換して画像処理回路１９に送る。  
分周回路２０が前置アンプ１６と、受信帯域変更回路１７と、Ａ／Ｄ変換器１８とに接続されている。この分周回路２０は、クロック発生回路１１により発生したクロック周波数５００ｋＨｚのクロック信号Ｃｂを入力し、このクロック信号Ｃｂを整数分の１、例えば２分の１の２５０ｋＨｚのクロック信号Ｃｄに分周して前置アンプ１６と、受信帯域変更回路１７と、Ａ／Ｄ変換器１８とに送出する。これにより、前置アンプ１６と受信帯域変更回路１７とＡ／Ｄ変換器１８とは、例えば図２に示すようにそれぞれ２５０ｋＨｚのクロック信号Ｃｄに同期してＭＲ信号ｍをデータインクリメントするために、クロック信号Ｃｄの２５０ｋＨｚの間隔毎にＭＲ信号ｍを増幅し、４００ｋＨｚの受信帯域Ｒｂに通し、アナログ／デジタル変換する。
【００２２】
画像処理回路１９は、ＭＲ信号ｍを処理してＭＲ画像を取得する。  
シーケンス制御回路１０には、メモリ装置２１と、例えばキーボードやマウス等の入力装置２２と、ディスプレイ２３とが接続されている。シーケンス制御回路１０は、画像処理回路１９により取得されたＭＲ画像をメモリ装置２１に記憶し、かつディスプレイ２３に表示する。
【００２３】
ここで、パルスシーケンス制御系９は、傾斜磁場及びＲＦ磁場を発生させるシーケンスとして例えばエコープラナ法（ＥＰＩ）の画像化手法によってＭＲ画像を取得することが可能である。このエコープラナ法では、例えばクロック周波数５００ｋＨｚに同期して傾斜磁場コイル５による傾斜磁場及びＲＦコイル６によるＲＦ磁場を繰り返し発生させるとき、クロック周波数５００ｋＨｚ間隔毎の各１回のＲＦ磁場及び傾斜磁場の発生時に、傾斜磁場を高速で連続して反転させ、連続してＲＦコイル６からのＭＲ信号ｍを前置アンプ１６、受信帯域変更回路１７及びＡ／Ｄ変換器１８に通して画像処理回路１９に送る。なお、パルスシーケンス制御系９は、エコープラナ法に限らず、例えばシングルショットＥＰＩ、スピンエコー法（ＳＥ）、フィールドエコー法（ＦＥ）にも適用可能である。
【００２４】
次に、上記の如く構成された装置におけるＭＲ画像取得のシーケンスについて説明する。  
寝台１は、患者等の被検体１が載置され、矢印Ｂ方向に移動して超電導シールド本体３の空洞内に位置決めされる。  
超電導マグネット４には、静止磁場電源７から静止磁場発生用の超電導電流が供給される。これにより、超電導マグネット４は、例えば強度１．５Ｔの静磁場を発生する。  
シーケンス制御回路１０からＭＲＩ動作の指令がクロック発生回路１１に発せられると、このクロック発生回路１１は、クロック周波数５００ｋＨｚの各クロック信号Ｃａ、Ｃｂを発生し、クロック信号Ｃａを傾斜磁場制御回路１２に送出すると共に、クロック信号ＣｂをＲＦ制御回路１３に送出する。
【００２５】
傾斜磁場制御回路１２は、クロック発生回路１１により発生したクロック周波数５００ｋＨｚのクロック信号Ｃａを入力し、このクロック信号Ｃａに同期した図２に示すようなクロック波形のコントロール信号Ｓａを傾斜磁場電源８に送出する。この傾斜磁場電源８は、コントロール信号Ｓａに同期した傾斜磁場発生用のパルス電流を傾斜磁場コイル５に供給する。これにより、傾斜磁場コイル５は、軸ｚ方向に線形の傾きを持つ傾斜磁場を発生する。この傾斜磁場は、超電導マグネット４により発生した静磁場に重畳する。
【００２６】
これと共に、ＲＦ制御回路１３は、クロック発生回路１１により発生したクロック周波数５００ｋＨｚのクロック信号Ｃｂを入力し、このクロック信号Ｃｂに同期した図２に示すようなクロック波形の周波数のコントロール信号ＳｂをＲＦ発生回路１４に送出する。
【００２７】
このＲＦ発生回路１４は、ＲＦ制御回路１３から送出されたコントロール信号Ｓｂを入力し、このコントロール信号Ｓｂのクロック周波数５００ｋＨｚに同期してＲＦ電流をＲＦアンプ１５に供給する。このＲＦアンプ１５は、ＲＦ電流を増幅してＲＦコイル６に供給する。これにより、ＲＦコイル６は、クロック周波数５００ｋＨｚに同期してＲＦ磁場を発生する。このＲＦ磁場は、被検体２に照射される。  
従って、静磁場中の被検体２に対してクロック周波数５００ｋＨｚに同期して傾斜磁場が照射されると共に、ＲＦ磁場が照射される。
【００２８】
ＲＦコイル６は、静磁場に傾斜磁場が重畳された磁場中の被検体２に対してＲＦ磁場を照射し、かつこのＲＦ磁場の照射により被検体２に生じたＭＲ信号を受信し、そのＭＲ信号を出力する。
【００２９】
一方、前置アンプ１６と受信帯域変更回路１７とＡ／Ｄ変換器１８とは、それぞれ分周回路２０から送出される図２に示すような２５０ｋＨｚのクロック信号Ｃｄに同期してＭＲ信号ｍをデータインクリメントするために、当該クロック信号Ｃｄの２５０ｋＨｚの間隔毎に動作する。すなわち、前置アンプ１６は、ＲＦコイル６から出力されたＭＲ信号ｍを増幅出力する。受信帯域変更回路１７は、ＭＲ画像取得の高速化に対応するために、前置アンプ１６により増幅出力されたＭＲ信号ｍを例えば４００ｋＨｚの幅を有する受信帯域Ｒｂに通してＡ／Ｄ変換器１８に送る。Ａ／Ｄ変換器１８は、受信帯域変更回路１７を通ったＭＲ信号ｍをアナログ／デジタル変換して画像処理回路１９に送る。これにより、画像処理回路１９は、ＭＲ信号ｍを処理してＭＲ画像を取得する。  
シーケンス制御回路１０は、画像処理回路１９により取得されたＭＲ画像をメモリ装置２１に記憶し、かつディスプレイ２３に表示する。
【００３０】
ここで、傾斜磁場コイル５から傾斜磁場を発生させるためのクロック信号Ｃａに同期したコントロール信号Ｓａと、ＲＦコイル６からのＭＲ信号ｍを受信してデータインクリメントするためのコントロール信号Ｓｂとは、それぞれ同期して図２に示すように５００ｋＨｚのクロック周波数で送信される。このため、傾斜磁場を発生させるためのコントロール信号Ｓａの高調波ノイズが５００ｋＨｚの間隔毎にＭＲ信号ｍに重畳される。図３はＭＲ信号ｍに５００ｋＨｚの間隔毎の例えば６３．５０ＭＨｚ、６４．００ＭＨｚ、６５．００ＭＨｚにそれぞれ高調波ノイズが重畳されていることを示す。
【００３１】
一方、ＭＲ信号の受信帯域Ｒｂは、ＭＲ画像取得の高速化によって例えば４００ｋＨｚの受信帯域Ｒｂに設定されている。  
従って、ＭＲ信号ｍの受信帯域Ｒｂは、図３に示すように高調波ノイズが重畳する５００ｋＨｚ間隔よりも狭いので、ＭＲ信号ｍの受信帯域Ｒｂを例えば矢印Ａ方向に移動させて微調整することにより、高調波ノイズとＭＲ信号ｍの受信帯域Ｒｂとは重なることがない。ＭＲ信号ｍの受信帯域Ｒｂを例えば矢印Ａ方向に移動させて微調整することは、受信帯域変更回路１７において行うことが可能である。例えば、図３に示すように４００ｋＨｚの受信帯域Ｒｂを、この受信帯域Ｒｂよりも広い５００ｋＨｚの間隔を有する例えば６３．５０ＭＨｚと６４．００ＭＨｚとの各高調波ノイズの間に設定することができる。
【００３２】
このように上記一実施の形態によれば、傾斜磁場及び高周波磁場の発生を制御する各コントロール信号Ｓａ、Ｓｂのクロック周波数をＭＲ信号ｍの受信帯域Ｒｂの周波数帯域よりも高く設定、例えばＭＲ信号ｍの受信帯域Ｒｂの４００ｋＨｚよりも高い５００ｋＨｚに設定したので、ＭＲ画像取得の高速化によって設定されている４００ｋＨｚの受信帯域Ｒｂを、受信帯域Ｒｂよりも広い５００ｋＨｚの間隔を有する例えば６３．５０ＭＨｚと６４．００ＭＨｚとの各高調波ノイズの間に設定でき、これら高調波ノイズを受信帯域Ｒｂの外側の周波数帯域に持っていくことが可能である。従って、受信帯域Ｒｂ内に例えば６３．５０ＭＨｚや６４．００ＭＨｚ等の各高調波ノイズが混入することがなくなる。
【００３３】
この結果、ＭＲＩ画像上に現れる高調波ノイズによるＦ１ノイズ又は白点アーチフェクトを抑制することができ、医師等によって正確な診断を行うことができる。又、高調波ノイズを除去する例えばフィルタ等も不要になる。
【００３４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、上記一実施の形態では、各コントロール信号Ｓａ、Ｓｂのクロック周波数をＭＲ信号ｍの受信帯域Ｒｂの周波数帯域よりも高い５００ｋＨｚに設定しているが、５００ｋＨｚ〜１０００ｋＨｚの範囲内の任意のクロック周波数に設定してもよい。この場合、分周回路２０は、クロック発生回路１１により発生したクロック周波数５００ｋＨｚのクロック信号Ｃｂを整数分の１、例えば任意のクロック周波数に応じた分周比でクロック信号Ｃｄに分周して前置アンプ１６と、受信帯域変更回路１７と、Ａ／Ｄ変換器１８とに送出する。
【００３５】
又、４００ｋＨｚの受信帯域Ｒｂは、図３に示すように例えば６３．５０ＭＨｚと６４．００ＭＨｚとの各高調波ノイズの間に設定しているが、これに限らず、例えば６４．００ＭＨｚと６４．５０ＭＨｚとの各高調波ノイズの間に設定してもよい。
【図面の簡単な説明】
【００３６】
【図１】本発明に係るＭＲＩの一実施の形態を示す構成図。
【図２】同装置における傾斜磁場及びＲＦ磁場の発生を制御する各コントロール信号のクロック波形及びＭＲ信号をデータインクリメントするタイミングを示す図。
【図３】同装置におけるＭＲ信号に重畳される５００ｋＨｚ間隔毎の高調波ノイズを示す図。
【図４】従来装置における傾斜磁場及びＲＦ磁場の発生を制御する各コントロール信号のクロック波形及びＭＲ信号をデータインクリメントするタイミングを示す図。
【図５】従来装置における傾斜磁場及びＲＦ磁場の発生を制御する各コントロール信号のクロック波形及びＭＲ信号をデータインクリメントするタイミングを示す図。
【図６】従来装置におけるＭＲ画像取得の高速化に応じたＭＲ信号の受信帯域を示す図。
【符号の説明】
【００３７】
１：寝台、２：被検体、３：超電導シールド本体、４：超電導マグネット、５：傾斜磁場コイル、６：ＲＦコイル、７：静止磁場電源、８：傾斜磁場電源、９：パルスシーケンス制御系、１０：シーケンス制御回路、１１：クロック発生回路、１２：傾斜磁場制御回路、１３：ＲＦ制御回路、１４：ＲＦ発生回路、１５：ＲＦアンプ、１６：前置アンプ、１７：受信帯域変更回路、１８：Ａ／Ｄ変換器、１９：画像処理回路、２０：分周回路、２１：メモリ装置、２２：入力装置、２３：ディスプレイ。
【図１】
2008099823.tif 000003
【図２】
2008099823.tif 000004
【図３】
2008099823.tif 000005
【図４】
2008099823.tif 000006
【図５】
2008099823.tif 000007
【図６】
2008099823.tif 000008